(57)【要約】【課題】スピーカシステムの種類を識別して、音響特性の設定を自動的に行う音響装置、及び音響特性設定方法を提供する。【解決手段】本発明の音響装置は、複数のスピーカ31-37から構成されるスピーカシステム3a-cと、複数チャンネルの音声信号の特性を制御する音響特性制御部6と、複数チャンネルの音声信号を増幅して前記スピーカシステム3a-cに出力する増幅部7と、複数チャンネルの音声信号が夫々通る複数の接続線8a-dと、複数の接続線8a-dの全て又は一部について電流値を測定する電流測定手段9a,9bと、複数の音響特性パラメータについて、スピーカシステム3a-cの種類毎に定められた設定値を記憶する記憶手段11とを具えており、電流測定手段9a,9bで測定された電流値に基づいてスピーカシステム3a-cを識別し、これに対応する設定値を読み出して、音響特性制御部6に対して音響特性パラメータの設定を行う。【選択図】図１
2005117361.tif 000002
【特許請求の範囲】
【請求項１】
複数のスピーカ(31-37)から構成されるスピーカシステム(3a-c)と、
音響特性を与える複数の音響特性パラメータに基づいて、複数チャンネルの音声信号の特性を制御する音響特性制御部(6)と、
前記複数チャンネルの音声信号を増幅して前記スピーカシステム(3a-c)に出力する増幅部(7)と、
前記増幅部(7)に接続されると共に、前記増幅部(7)から前記スピーカシステム(3a-c)に出力される前記複数チャンネルの音声信号が夫々通る複数の接続線(8a-d)と、
前記複数の接続線(8a-d)の全て又は一部について電流値を測定する電流測定手段(9a)(9b)と、
前記複数の音響特性パラメータについて、前記スピーカシステム(3a-c)の種類毎に定められた設定値を記憶する記憶手段(11)とを具えており、
前記電流測定手段(9a)(9b)で測定された電流値に基づいて前記スピーカシステム(3a-c)を識別し、前記記憶手段(11)から前記スピーカシステム(3a-c)に対応する設定値を読み出して、前記音響特性制御部(6)に対して前記複数の音響特性パラメータの設定を行う音響装置。
【請求項２】
複数の音源より選択された音源から得られる音声信号を処理し、
前記記憶手段(11)には、前記複数の音源の各々に応じて、前記スピーカシステム(3a-c)の種類毎に定められた設定値が記憶されており、
前記選択された音源及び前記スピーカシステム(3a-c)に対応する設定値を読み出して、前記音響特性制御部(6)に対して前記複数の音響特性パラメータの設定を行う請求項１に記載の音響装置。
【請求項３】
左チャンネル信号及び右チャンネル信号を出力する音源部(2)を具えており、
前記電流測定手段(9a)(9b)は、少なくとも前記左チャンネル信号、又は前記右チャンネル信号から生成された複数チャンネルの音声信号が通る接続線(8a)(8b)について、電流値を測定する請求項１又は請求項２に記載の音響装置。
【請求項４】
複数のスピーカ(31-37)から構成されるスピーカシステム(3a-c)と、音響特性を与える複数の音響特性パラメータに基づいて、複数チャンネルの音声信号の特性を制御する音響特性制御部(6)と、前記複数チャンネルの音声信号を増幅して前記スピーカシステム(3a-c)に出力する増幅部(7)とを具える音響装置の音響特性設定方法において、
前記増幅部(7)に接続されると共に、前記増幅部(7)から前記スピーカシステム(3a-c)に出力される前記複数チャンネルの音声信号が夫々通る複数の接続線(8a-d)の全て又は一部について、前記増幅部(7)から前記スピーカシステム(3a-c)に所定の周波数及びレベルの信号を出力して、電流値を測定する第１ステップと、
前記第１ステップで測定された電流値に基づいて前記スピーカシステム(3a-c)を識別する第２ステップと、
前記複数の音響特性パラメータについて、前記スピーカシステム(3a-c)の種類毎に定められた設定値を記憶する記憶手段(11)から、前記スピーカシステム(3a-c)に対応する設定値を読み出して、前記音響特性制御部(6)に対して前記複数の音響特性パラメータの設定を行う第３ステップと、
を含むことを特徴とする音響装置の音響特性設定方法。
【発明の詳細な説明】
【技術分野】
【０００１】
本発明は、複数のスピーカで構成されるスピーカシステムを具える音響装置、及びこのような音響装置の音響特性設定方法に関する。
【背景技術】
【０００２】
通常、音響装置は、複数のスピーカから構成されるスピーカシステムを具えている。音響装置に使用されるスピーカシステムに複数の種類がある場合、周波数特性やカットオフ周波数等の各種音響特性を、音響装置が具えているスピーカシステムに対して最適化する必要がある。このため、従来の音響装置では、具えているスピーカシステムの種類毎に仕様が異なる音響特性制御用回路基板が用いられていた。
【０００３】
しかし、上記のような従来の音響装置の製造工程では、実装される抵抗及びコンデンサ等の電子素子が異なった複数の種類の音響特性制御用回路基板を作製する必要があるために、部品管理の負担が著しく、基板ＡＳＳＹ工程の増加が生じていた。また、音響装置に使用可能なスピーカシステムの種類が増加するほど、音響特性制御用回路基板の種類も増加し、音響装置の製造工程はより煩雑化していた。この問題を解決するために、音響装置の音響特性をＤＳＰ(Digital Signal Processor)等を用いて制御し、使用するスピーカシステムに対応した音響特性の設定をソフトウェア的に行うことが考えられる。
【特許文献１】特開平１１−２８９６００号公報
【発明の開示】
【発明が解決しようとする課題】
【０００４】
しかしながら、車載用音響装置の場合、スピーカシステムは、自動車の製造工程において音響装置の本体部に接続されるので、自動車の製造者又は販売者が、使用するスピーカシステムに対応した音響特性の設定を、音響装置の本体部を操作して行うことになる。これらの者は、一般に音響装置に関する知識が充分ではないので、音響特性の設定作業を行うことが負担となることが予測される。特に、音響装置の本体部の仕様が変更されたり、取り扱う本体部の種類が複数である場合には、音響特性を設定する操作手順を記憶することは、自動車の製造者又は販売者にとって大きな負担となる。
【０００５】
本発明は、この問題を解決するものであり、具えているスピーカシステムの種類を識別して、このスピーカシステムに対応した音響特性の設定を自動的に行う音響装置、及び音響特性設定方法を提供する。
【課題を解決するための手段】
【０００６】
本発明の音響装置は、複数のスピーカから構成されるスピーカシステムと、音響特性を与える複数の音響特性パラメータに基づいて、複数チャンネルの音声信号の特性を制御する音響特性制御部と、前記複数チャンネルの音声信号を増幅して前記スピーカシステムに出力する増幅部と、前記増幅部に接続されると共に、前記増幅部から前記スピーカシステムに出力される前記複数チャンネルの音声信号が夫々通る複数の接続線と、前記複数の接続線の全て又は一部について電流値を測定する電流測定手段と、前記複数の音響特性パラメータについて、前記スピーカシステムの種類毎に定められた設定値を記憶する記憶手段とを具えており、前記電流測定手段で測定された電流値に基づいて前記スピーカシステムを識別し、前記記憶手段から前記スピーカシステムに対応する設定値を読み出して、前記音響特性制御部に対して前記複数の音響特性パラメータの設定を行う。
【０００７】
さらに、本発明の音響装置は、複数の音源より選択された音源から得られる音声信号を処理し、前記記憶手段には、前記複数の音源の各々に応じて、前記スピーカシステムの種類毎に定められた設定値が記憶されており、前記選択された音源及び前記スピーカシステムに対応する設定値を読み出して、前記音響特性制御部に対して前記複数の音響特性パラメータの設定を行う。
【０００８】
また、本発明の音響装置の音響特性自動設定方法は、複数のスピーカから構成されるスピーカシステムと、音響特性を与える複数の音響特性パラメータに基づいて、複数チャンネルの音声信号の特性を制御する音響特性制御部と、前記複数チャンネルの音声信号を増幅して前記スピーカシステムに出力する増幅部とを具える音響装置の音響特性設定方法において、前記増幅部に接続されると共に、前記増幅部から前記スピーカシステムに出力される前記複数チャンネルの音声信号が夫々通る複数の接続線の全て又は一部について、前記増幅部から前記スピーカシステムに所定の周波数及びレベルの信号を出力して、電流値を測定する第１ステップと、前記第１ステップで測定された電流値に基づいて前記スピーカシステムを識別する第２ステップと、前記複数の音響特性パラメータについて、前記スピーカシステムの種類毎に定められた設定値を記憶する記憶手段から、前記スピーカシステムに対応する設定値を読み出して、前記音響特性制御部に対して前記複数の音響特性パラメータの設定を行う第３ステップと、を含むことを特徴とする。
【発明の効果】
【０００９】
互いに種類が異なるスピーカシステムを使用した音響装置間では、接続されるスピーカの構成が異なる接続線にてインピーダンスに差異が生じて、所定の周波数及びレベルの信号を出力した際に、この接続線に流れる電流の電流値は異なる。例えば、所定の周波数及びレベルの信号をある接続線に出力した場合、該接続線に１つのスピーカが接続されている場合と、複数のスピーカが接続されている場合とでは、接続線の電流値は異なる。ゆえに、接続線の電流値を測定する電流測定手段を設けることにより、増幅部から所定の周波数及びレベルの信号を出力した場合に測定される電流値から、音響装置が具えているスピーカシステムを識別できる。
【００１０】
このように本発明によれば、音響装置が具えているスピーカシステムを自動的に識別することができ、さらに、スピーカシステム種類毎に定められた音響特性パラメータの設定値を、記憶手段に記憶させておくことによって、音響特性制御部に対して、識別したスピーカシステムに対応した音響特性設定を自動的に行うことができる。また、記憶手段に、複数の音源の各々に応じて、スピーカシステムの種類毎に定められた設定値を記憶させておくことにより、選択された音源及びスピーカシステムに対応した音響特性設定を自動的に行うことができる。
【００１１】
電流測定手段は、全ての接続線について電流値を測定してもよいが、スピーカシステムの各種類において、例えばフロントＬ(左)チャンネル信号とフロントＲ(右)チャンネル信号のような、関連するチャンネル信号が出力される一対の接続線では、これら接続線に繋がるスピーカの構成は同じになる場合が多い。ゆえに、このような場合、電流測定手段は、増幅部に接続された接続線の一部について電流値を測定すればよい。また、あるスピーカシステムでは、関連するチャンネル信号が出力される一対の接続線間でスピーカの構成が異なっていても、スピーカシステムの識別を行うためには、他のスピーカシステムとの対比において、接続されたスピーカの構成が異なる接続線の電流値を測定すればよいので、電流測定手段が接続線の一部について電流値を測定しても問題はない。
【発明を実施するための最良の形態】
【００１２】
以下、本発明を図を用いて説明する。図１は、本発明の一実施例である車載用音響装置の概略を示すブロック図である。車載用音響装置の本体部(1)は、自動車のセンターパネルのコンソールに装着されており、内蔵する音源部(2)から出力される音声信号を増幅して、車内に装着されたスピーカシステム(3a)に出力する。音源部(2)は、ＡＭ信号、ＦＭ信号、ＭＤ及びＣＤ−ＤＡ等の複数の音源に対応しており、これらの再生を行うチューナー、ＭＤ再生部及びＣＤ再生部等で構成されている。マイクロコンピュータ(以下、「マイコン」と称す)(4)は、使用者によって操作部(5)を用いて選択された音源について再生処理が行われるように音源部(2)を動作させる。音源部(2)からは、選択された音源から得られたＬチャンネル信号及びＲチャンネル信号の２つの音声信号が出力され、これら信号は、ＤＳＰで構成された音響特性制御部(6)に送られる。
【００１３】
音響特性制御部(6)は、４つの信号処理部(6a-d)を具えている。Ｌチャンネル信号は、第１信号処理部(6a)及び第２信号処理部(6b)に、Ｒチャンネル信号は、第３信号処理部(6c)及び第４信号処理部(6d)に送られる。第１信号処理部(6a)は、Ｌチャンネル信号を処理して、フロントＬチャンネル信号を出力する。第２信号処理部(6b)は、Ｌチャンネル信号を処理して、リアＬチャンネル信号を出力する。第３信号処理部(6c)は、Ｒチャンネル信号を処理して、フロントＲチャンネル信号を出力する。第４信号処理部(6d)は、Ｒチャンネル信号を処理して、リアＲチャンネル信号を出力する。フロントＬチャンネル信号、リアＬチャンネル信号、フロントＲチャンネル信号及びリアＲチャンネル信号の特性は、これら信号処理部(6a-d)によって、即ち音響特性制御部(6)によって制御される。音響特性制御部(6)は、音響特性を与える複数の音響特性パラメータに基づいて、これら信号の制御を行う。これら音響特性パラメータの設定値がマイコン(4)から音響特性制御部(6)に送信されることにより、音響特性制御部(6)に対して音響特性パラメータの設定が行われる。
【００１４】
図２は、第１信号処理部(6a)の概要を示すブロック図である。 他の信号処理部(6b-d)も第１信号処理部(6a)と同様に構成されている。第１信号処理部(6a)に送られたＬチャンネル信号は、まずゲイン調整部(61)においてゲイン調整される。ゲイン調整部(61)は、選択された音源に応じて、音声信号のゲイン調整を行う。ゲイン調整部(61)は、例えば、ＦＭ信号(４００Ｈｚ、３０％変調)を０ｄｂＢとした場合、ＣＤ再生信号(４００Ｈｚ、３０％変調)のゲイン量を＋１０ｄＢに、ＡＭ信号(４００Ｈｚ、３０％変調)のゲイン量を＋５ｄＢに調整する。
【００１５】
前後ゲイン差調整部(62)は、フロント側の音声信号と、リア側の音声信号との間に、ゲイン差を生じさせる調整を行う。音響特性パラメータの一つには、前後ゲイン差があり、前後ゲイン差に例えば−２ｄＢが設定された場合、第２信号処理部(6b)が具える前後ゲイン差調整部(62)は、ゲイン調整部(61)から送られた音声信号を、−２ｄＢだけ減衰させる処理を行う。一方で、第１信号処理部(6a)が具える前後ゲイン差調整部(62)は、ゲイン調整部(61)から送られた音声信号を、そのまま周波数特性調整部(63)に送る。
【００１６】
周波数特性調整部(63)は、マイコン(4)よって設定された周波数特性を与えるように、前後ゲイン差調整部(62)から送られた音声信号の周波数特性を調整する。周波数特性は、複数の音響特性パラメータ、例えば、基準となる周波数、低域側及び高域側の周波数における減衰量で与えられる。周波数特性調整部(63)は、例えば、１ｋＨｚの周波数を基準(０ｄＢ)として、一定の傾き(例えば、３ｄＢ/ｏｃｔ)で減衰して、低域側の周波数及び高域側の周波数にて設定された減衰量になるように音声信号を調整する。
【００１７】
カットオフ周波数調整部(64)は、ハイパスフィルタ及びローパスフィルタを含んでいる。これらフィルタのカットオフ周波数は音響特性パラメータであり、例えば、低域側のカットオフ周波数として３０Ｈｚ、高域側のカットオフ周波数として２０ｋＨｚが設定された場合、カットオフ周波数調整部(64)のハイパスフィルタのカットオフ周波数は３０Ｈｚにされ、ロ−パスフィルタのカットオフ周波数は２０ｋＨｚにされる。
【００１８】
再度図１を参照する。音響特性制御部(6)から出力されたフロントＬチャンネル信号、リアＬチャンネル信号、フロントＲチャンネル信号及びリアＲチャンネル信号は、増幅部(7)に送られる。増幅部(7)は、これら信号を夫々増幅するアンプ(7a-d)を具えている。第１アンプ(7a)で増幅されたフロントＬチャンネル信号は、該第１アンプ(7a)に接続された第１接続線(8a)を通って、フロントＬスピーカ(31)に送られる。第２アンプ(7b)で増幅されたリアＬチャンネル信号は、該第２アンプ(7b)に接続された第２接続線(8b)を通って、リアＬスピーカ(32)に送られる。第３アンプ(7c)で増幅されたフロントＲチャンネル信号は、該第３アンプ(7c)に接続された第３接続線(8c)を通って、フロントＲスピーカ(33)に入力される。第４アンプ(7d)で増幅されたリアＲチャンネル信号は、該第４アンプ(7d)に接続された第４接続線(8d)を通って、リアＲスピーカ(34)に入力される。フロントＬスピーカ(31)及びフロントＲスピーカ(33)は、例えば、自動車の左右のフロントドアの内側側面に夫々取り付けられ、リアＬスピーカ(32)及びリアＲスピーカ(34)は、例えば、リアトレイの両端部に夫々取り付けられる。
【００１９】
車載用音響装置は、第１接続線(8a)及び第２接続線(8b)に流れる電流値を夫々測定する第１電流測定部(9a)及び第２電流測定部(9b)を具えている。これら電流測定部(9a)(9b)は、例えば、接続線(8a)(8b)を夫々囲うコイルを具えており、該コイルに生じる起電力を利用して接続線(8a)(8b)の電流値を夫々測定する。第１電流測定部(9a)及び第２電流測定部(9b)が測定した電流値は、マイコン(4)に送られる。
【００２０】
マイコン(4)には、マイコン(4)により実行される車載用音響装置の制御用プログラム、及び後述する音響特性対照テーブル等を記憶する書換え可能な不揮発性メモリ(11)が接続されている。不揮発性メモリ(11)には、ＥＥＰＲＯＭやフラッシュメモリ等が用いられる。マイコン(4)は、ＣＰＵ、ＲＡＭ及びＲＯＭ等を内蔵しており、第１電流測定部(9a)及び第２電流測定部(9b)が測定した電流値に基づいて、本体部(1)に接続されているスピーカシステムの種類を識別し、そのスピーカシステムに最適な音響特性が得られるように、音響特性制御部(6)に対して音響特性パラメータの設定を行う。
【００２１】
図１は、車載用音響装置の本体部(1)に接続されているスピーカシステムが、４つのスピーカ(31-34)から構成された４スピーカシステム(3a)である状態を示している。本体部(1)には、４スピーカシステム(3a)以外の種類のスピーカシステムも接続可能である。図３は、６スピーカシステム(3b)が本体部(1)に接続された状態を示す車載用音響装置のブロック図である。この６スピーカシステム(3b)は、図１に示す４スピーカシステム(3a)に、Ｌツィータ(35)及びＲツィータ(36)を追加したものであり、Ｌツィータ(35)にはフロントＬチャンネル信号が、Ｒツィータ(36)にはフロントＲチャンネル信号が入力される。Ｌツィータ(35)は、第１接続線(8a)から分岐した接続線に接続されており、Ｒツィータ(36)は、第３接続線(8c)から分岐した接続線に接続されている。Ｌツィータ(35)及びＲツィータ(36)は、例えば自動車のセンターコンソール付近に取り付けられる。
【００２２】
図４は、７スピーカシステム(3c)が本体部(1)に接続された状態を示す車載用音響装置のブロック図である。この７スピーカシステム(3c)は、図３に示す６スピーカシステム(3b)にウーハー(37)を追加したものであり、該ウーハー(37)にはリアＬチャンネル信号が入力される。ウーハー(37)は、第２接続線(8b)から分岐した接続線に接続されており、例えば自動車のリアトレイの中央部に取り付けられる。
【００２３】
図１に示すように、本体部(1)に４スピーカシステム(3a)が接続されている場合、第１アンプ(7a)にはフロントＬスピーカ(31)が接続されている。また、本体部(1)に６スピーカシステム(3b)が接続されている場合、図３に示すように、第１アンプ(7a)にはフロントＬスピーカ(31)及びＬツィータ(35)が並列に接続されている。従って、所定の周波数及び音量レベルのフロントＬチャンネル信号を第１アンプ(7a)から出力すると、４スピーカシステム(3a)が接続されている場合と６スピーカシステム(3b)が接続されている場合とで、第１電流測定部(9a)により測定される電流値は異なる。同様に、所定の周波数及び音量レベルのリアＬチャンネル信号を第２アンプ(7b)から出力すると、６スピーカシステム(3b)が接続されている場合と図４に示す７スピーカシステム(3c)が接続されている場合とで、第２電流測定部(9b)により測定される電流値は異なる。
【００２４】
従って、第１アンプ(7a)及び第２アンプ(7b)から夫々所定の信号を出力させて、第１電流測定部(9a)及び第２電流測定部(9b)で電流値を測定すると、４スピーカシステム(3a)、６スピーカシステム(3b)及び７スピーカシステム(3c)のうち、何れの種類のスピーカシステムが本体部(1)に接続されているかを、測定された電流値から識別することができる。本実施例では、６スピーカシステム(3b)を音響装置に使用する場合、Ｌツィータ(35)が第１アンプ(7a)に接続されると共に、Ｒツィータ(36)が第３アンプ(7c)に接続される。また、７スピーカシステム(3c)を車載用音響装置に使用する場合、ウーハー(37)は、第４アンプ(7d)ではなく、第２アンプ(7b)に接続される。従って、第３接続線(8c)及び第４接続線(8d)に流れる電流を測定しなくとも、これら３種のスピーカシステムの何れかが車載用音響装置の本体部(1)に接続されているかを識別できる。なお、当然に、車載用音響装置に、第３接続線(8c)及び第４接続線(8d)の夫々に電流測定部を設けてもよく、これにより更に多くの種類のスピーカシステムを識別することが可能となる。
【００２５】
次に、本実施例の車載用音響装置が行うスピーカシステムの識別処理について説明する。図５は、この処理を示すフローチャートである。作業者が、操作部(5)に対して所定の操作を行うことにより、スピーカシステムの識別処理が開始する(Ｓ１)。この識別処理は、車載用音響装置を使用する一般ユーザーには無関係である。従って、識別処理の開始を指示する操作部(5)の操作は、所謂、隠しモードで行われることが好ましい。例えば、操作部(5)が具える複数のキーを同時押しすることにより、又は、あるキーを長押しすることにより、スピーカシステムの識別処理が開始される。
【００２６】
スピーカシステムの識別処理の開始を指示する所定の操作がなされると、マイコン(4)は予め定められた周波数及びレベルの信号を出力するように、第１アンプ(7a)及び第２アンプ(7b)を動作させる(Ｓ２)。第１アンプ(7a)及び第２アンプ(7b)がこの際出力する信号の周波数及びレベルのデータは、例えば不揮発性メモリ(11)に記憶されており、マイコン(4)は、不揮発性メモリ(11)からこのデータを読み出して、これらアンプ(7a)(7b)を動作させる。第１アンプ(7a)出力する信号と第２アンプ(7b)が出力する信号とでは、周波数が異なっていてよく、また、レベルが異なってもよい。
【００２７】
ステップＳ２により、第１接続線(8a)及び第２接続線(8b)に電流が流れて、第１電流測定部(9a)及び第２電流測定部(9b)にて電流値が測定される(Ｓ３)。測定された電流値は、第１電流測定部(9a)及び第２電流測定部(9b)からマイコン(4)に送られる。不揮発性メモリ(11)には、これら電流値とスピーカシステムの種類とを対応づけるテーブルが記憶されており、マイコン(4)は、このテーブルを参照することにより、車載用音響装置の本体部(1)に接続されているスピーカシステムの種類を識別する(Ｓ４)。ステップＳ４の後、マイコン(4)は、識別したスピーカシステムの種類を不揮発性メモリ(11)に記憶する(Ｓ５)。
【００２８】
次に、本実施例の車載用音響装置が行う再生処理について説明する。図６は、この処理を示すフローチャートである。まず、使用者が操作部(5)を操作することによって、音源部(2)を構成する複数の音源から、再生を希望する音源が選択される(Ｓ１１)。そして、マイコン(4)は、ステップＳ１１により選択された音源と、本体部(1)に接続されているスピーカシステムとに対応した音響特性パラメータの設定値を、不揮発性メモリ(11)から読み出す(Ｓ１２)。
【００２９】
不揮発性メモリ(11)には、本体部(1)に接続可能なスピーカシステムの種類の各々について、各種音響特性パラメータの設定値を与える音響特性対称テーブルが、音源毎に記憶されている。ステップＳ１２にて、マイコン(4)は、ステップＳ１１にて選択された音源に対応する音響特性対称テーブルを参照し、図５に示す識別処理において識別されたスピーカシステムの種類に対応する各種音響特性パラメータの設定値(音響特性パラメータの設定値群)を不揮発性メモリ(11)から読み出す。
【００３０】
一例として、図７に、音源がＣＤである場合に参照される音響特性対照テーブルを示す。本実施例では、音響特性パラメータとして、前後レベル差と、周波数特性を与える２０Ｈｚ、１ｋＨｚ及び２０ｋＨｚにおける減衰量と、低域及び高域におけるカットオフ周波数とを採用している。図７に示す音響特性対照テーブルには、先に示した３つのスピーカシステム(3a-c)の各々について、音源がＣＤ−ＤＡである場合に最適な音響特性を与える音響特性パラメータの設定値群が定められている。音響特性パラメータのこれら設定値は、試験又はシミュレーション等によって決定されている。不揮発性メモリ(11)には、図７に示す音響特性対照テーブル以外に、ＡＭ信号、ＦＭ信号やＭＤ等の音源の各々について、同様な音響特性対照テーブルが記憶されている。
【００３１】
マイコン(4)は、ステップＳ１２の後、読み出した音響特性パラメータの設定値群を音響特性制御部(6)に送信し、音響特性制御部(6)に対して音響特性パラメータが設定される(Ｓ１３)。そして、使用者が、操作部(5)を操作して再生開始を指示すると、音源の再生が行われる(Ｓ１４)。音源部(2)から音響特性制御部(6)に音声信号が送られて、音響特性制御部(6)は、ステップＳ１３にて設定された音響特性パラメータに基づいて音声信号の処理を行う。これにより、車載用音響装置にて、音源とスピーカーシステムに応じた最適な音響特性で、音源の再生が行われる。
【００３２】
本実施例では、第１接続線(8a)の電流値と、第２接続線(8b)の電流値とを測定するように電流測定部(9a)(9b)を設けている。７スピーカシステム(3c)のウーハー(37)が、第２アンプ(7b)ではなく第４アンプ(7d)に接続される場合、第３接続線(8b)の電流値と、第４接続線(8d)の電流値とを測定するように、電流測定部(9a)(9b)を設けてもよい。
【００３３】
以上のように、本発明に係る車載用音響装置は、具えているスピーカシステムの種類を判別して、このスピーカシステムに適した音響特性が得られるように、音響特性制御部の設定を自動的に行う。上記の実施例では、４チャンネルの信号出力を行う車載用音響装置について説明したが、本発明は、例えば５.１チャンネル又は６チャンネルの信号出力を行う車載用音響装置にも適用できる。また、本発明は、車載用音響装置に限定されることはなく、例えば、家庭用のＤＶＤ再生装置や業務用のカラオケ装置等の音響装置にも適用できる。
【００３４】
上記実施例の説明は、本発明を説明するためのものであって、特許請求の範囲に記載の発明を限定し、或は範囲を減縮する様に解すべきではない。本発明の各部構成は上記実施例に限らず、特許請求の範囲に記載の技術的範囲内で種々の変形が可能であることは勿論である。
【図面の簡単な説明】
【００３５】
【図１】４スピーカシステムを具えた本発明に係る車載用音響装置のブロック図である。
【図２】本発明に係る車載用音響装置の音響特性制御部が具える信号処理部を示すブロック図である。
【図３】６スピーカシステムを具えた本発明に係る車載用音響装置のブロック図である。
【図４】７スピーカシステムを具えた本発明に係る車載用音響装置のブロック図である。
【図５】本発明に係る車載用音響装置におけるスピーカシステムの識別処理を示すフローチャートである。
【図６】本発明に係る車載用音響装置における再生処理を示すフローチャートである。
【図７】本発明に係る車載用音響装置に記憶されている音響特性対照テーブルの一例を示す説明図である。
【符号の説明】
【００３６】
(1)      本体部
(2)      音源部
(3a-c)   スピーカシステム
(6)      音響特性制御部
(7)      増幅部
(8a-d)   接続線
(9a)(9b) 電流測定部
(11)     不揮発性メモリ
(31-37)  スピーカ
【図１】
2005117361.tif 000003
【図２】
2005117361.tif 000004
【図３】
2005117361.tif 000005
【図４】
2005117361.tif 000006
【図５】
2005117361.tif 000007
【図６】
2005117361.tif 000008
【図７】
2005117361.tif 000009